(57)【要約】  家具ヒンジ（１）は、サイド部品（３）が設けられる取り付けプレート（２）と、支持レバー（５）およびガイドレバー（６）を介してサイド部品（３）に回動可能に保持されるヒンジ部品（４）とを備え、サイド部品（３）に対するヒンジ部品（４）の動作を弱めるためにダンパ（１４，１５）が設けられる。また、サイド部品（３）にスライド（１２）が取り付けられ、該スライドは、ダンパ（１４，１５）の接触面に当接して、一方のダンパ（１４，１５）と他方の支持レバー（１１）、ガイドレバー（６）またはヒンジ部品（４）との間に結合を生み出す。この場合、スライド（１２）は、スピンドル接続によってダンパに対して非固定態様で取り付けられる移動可能な中間要素を形成し、したがって、許容誤差の補償が可能である。【選択図】  図１
2010501757.tif 000002
【特許請求の範囲】
【請求項１】
サイド部品（３）が設けられる取り付けプレート（２）と、支持レバー（５）およびガイドレバー（６）を介して前記サイド部品（３）に回動可能に取り付けられるヒンジ部品（４）とを備え、前記サイド部品（５）に対する前記ヒンジ部品（４）の動作を弱めるためにダンパ（１４，１５）が設けられる家具ヒンジ（１）において、前記サイド部品（３）にスライド（１２）が取り付けられ、該スライドが、前記ダンパ（１４，１５）の接触面に当接して、一方の前記ダンパ（１４，１５）と他方の前記支持レバー（１１）、前記ガイドレバー（６）または前記ヒンジ部品（４）との間に結合を生み出すことを特徴とする、家具ヒンジ（１）。
【請求項２】
前記スライド（１２）がガイド手段（１７，１８）を介して前記サイド部品（３）に移動可能に保持されることを特徴とする、請求項１に記載の家具ヒンジ。
【請求項３】
前記スライドが、ダンパのピストンロッド（１５）と同じ方向に直線的に移動できることを特徴とする、請求項１または２に記載の家具ヒンジ。
【請求項４】
前記スライド（１２）が２つのストッパ間で移動可能に保持されることを特徴とする、請求項１〜３のいずれか一項に記載の家具ヒンジ。
【請求項５】
前記スライド（１２）が、前記ダンパのハウジング（１４）に当接する端部（１３）を備えることを特徴とする、請求項１〜４のいずれか一項に記載の家具ヒンジ。
【請求項６】
前記スライド（１２）が、前記ダンパ（１４，１５）が前記ヒンジ部品（４）の閉動作の一部だけにわたって作用するように、好ましくは前記ヒンジ部品（４）の最大回動経路の半分未満にわたって作用するように配置されることを特徴とする、請求項１〜５のいずれか一項に記載の家具ヒンジ。
【請求項７】
前記スライド（１２）が、前記サイド部品（３）のピン（１７）が係合する長穴（１８）を有することを特徴とする、請求項１〜６のいずれか一項に記載の家具ヒンジ。
【請求項８】
チップ（１９）を有する前記スライド（１２）が前記支持レバー（５）のウェブ（１１）によって移動できることを特徴とする、請求項１〜７のいずれか一項に記載の家具ヒンジ。
【請求項９】
前記ダンパ（１４，１５）が、リニアダンパとして設けられ、ばね（２０）によりスライド（１２）へ向けて予め張力が付与されるように保持されることを特徴とする、請求項１〜８のいずれか一項に記載の家具ヒンジ。
【請求項１０】
前記サイド部品（３）が、前記ダンパ（１４，１５）が固定される回動フラップ（２０）を備えることを特徴とする、請求項１〜９のいずれか一項に記載の家具ヒンジ。
【発明の詳細な説明】
【技術分野】
【０００１】
本発明は、サイド部品が設けられる取り付けプレートと、支持レバーおよびガイドレバーを介してサイド部品に回動可能に取り付けられるヒンジ部品とを備え、サイド部品に対するヒンジ部品の動作を弱めるためにダンパが設けられる家具ヒンジに関する。
【背景技術】
【０００２】
ヒンジ部品がサイド部品に回動可能に保持される家具ヒンジはＥＰ  １５５５３７２から知られている。この目的のため、平行な制御アームの態様で家具ドアなどの可動家具部品に固定されるヒンジ部品を回動させる支持レバーおよびガイドレバーが設けられる。動作を弱めるため、サイド部品には、チェーンリンクを介してガイドレバー上の突出部と結合されるリニアダンパが設けられる。したがって、ガイドレバーの回動中にダンピングが起こる。結合には固定構造が設けられ、そのため、特に家具ドアが位置合わせされてヒンジ部品がサイド部品または取り付けプレートに対して調整されるときに許容誤差の限られた補償が可能である。また、チェーンリンクによる結合は比較的複雑であり取り付けるのが難しい。
【発明の概要】
【発明が解決しようとする課題】
【０００３】
したがって、本発明の目的は、許容誤差の補償に関して柔軟であり、容易に取り付けることができる家具ヒンジを提供することである。
【課題を解決するための手段】
【０００４】
この目的は、請求項１の特徴を有する家具ヒンジによって達成される。
【０００５】
本発明によれば、サイド部品にスライドが取り付けられ、該スライドは、ダンパに当接して、一方のダンパと他方の支持レバー、ガイドレバーまたはヒンジ部品との間に結合を生み出す。したがって、スライドは、両端が軸接続によってダンパと固定態様で結合されず、直接的に或いは間接的にダンパと接続される摺動面に対して適用され得るだけの中間部材を形成する。したがって、結果として、スライドが１つのガイド手段だけによってサイド部品に保持されるため、家具ヒンジが簡単な構造を備える。また、力の伝達が接触面を介してのみ行なわれ、固定接続が存在しないため、取り付け中には許容誤差に対する特定の補償も存在し得る。
【０００６】
本発明の好ましい実施形態によれば、ガイド手段を介してスライドをサイド部品に移動可能に保持させることができる。スライドは、ダンパのピストンロッドと同じ方向に直線的に移動することができ、それにより、力の伝達中に横方向の力が生じない。
【０００７】
動作範囲を制限するため、スライドを２つのストッパ間で移動可能に保持させることができる。この場合、動作範囲は、ヒンジ部品の閉位置の殆ど直ぐ手前の望ましい範囲でのみダンピングが引き起こされるように設定される。
【０００８】
非常に数少ない構成部品だけから家具ヒンジを製造するために、スライドは、ダンパのハウジングに直接に当接する端部を備えることができる。
【０００９】
スライドの動作を案内するため、スライドは、ピンが係合する長穴を備えることができる。この場合、長穴は、ガイド手段に加えて、移動の経路を制限するための対向ストッパも形成する。
【００１０】
好ましくは、スライドは、支持レバーのウェブによってチップを介して移動することができ、それにより、支持レバーの回動動作がスライドおよびダンパの直線的な動作をもたらす。
【００１１】
ダンパは、好ましくはリニアダンパとして設けられるとともに、ばねによってスライドに対して予め張力が付与される態様で保持され、それにより、ヒンジ部品が開放されるときに、ばねがダンパまたはダンパのハウジングを伸張位置へと押圧する。ダンパに作用するばねの力は、ヒンジ部品に閉位置へ向けた張力を予め付与するばねよりも小さい。
【００１２】
サイド部品は、簡単な取り付けのために回動フラップを備えることができ、この回動フラップにダンパが固定される。この場合、ダンパは、ラッチ手段または他の固定要素によってフラップに対して簡単に固定することができる。
【００１３】
ここで、図面に示される実施形態を参照して、本発明を更に詳しく説明する。
【図面の簡単な説明】
【００１４】
【図１】開放位置にある本実施形態に係る家具ヒンジの側断面図を示している。
【図２】ヒンジ部品の半開放位置における図１の家具ヒンジの図を示している。
【図３】ヒンジ部品の閉位置における図１の家具ヒンジの図を示している。
【図４】取り付け中における図１の家具ヒンジの図を示している。
【発明を実施するための形態】
【００１５】
金属及び／又はプラスチックから形成される家具ヒンジ１は、家具カーカスに固定することができる取り付けプレート２を備えており、取り付けプレート２上にはサイド部品３が固定された態様で或いは調整可能な態様で取り付けられる。サイド部品３にはポット状ヒンジ部品４が回動可能に保持されており、回動動作のために支持レバー５およびガイドレバー６が設けられる。支持レバー５は、軸７を介してヒンジ部品４と接続されるとともに、軸８を介してサイド部品３に関節結合される。ガイドレバー６は、軸９を介してヒンジ部品４上に回転可能に保持されるとともに、軸１０を介してサイド部品３上に回転可能に保持される。ヒンジ部品４は、家具ドアの凹部に固定することができる。
【００１６】
支持レバー５にはウェブ１１が一体に設けられており、このウェブは、直線的に移動できるスライド１２の屈曲チップ１９と接触することができる。スライド１２はガイド手段によってサイド部品３に保持される。この目的のため、スライド１２には長穴１８が開けられた状態となっており、この長穴には、サイド部品３に固定されるピン１７が係合する。
【００１７】
スライド１２はチップ１９の反対側に端部１３を備えており、この端部は、サイド部品３におけるダンパのハウジング１４の対向面に作用する。ダンパは、ハウジング１４内へと移動可能なピストンロッド１５を備えるリニアダンパとして設けられる。ダンパを流体ダンパまたはガス圧ダンパとして設けることができる。
【００１８】
ダンパのハウジング１４は、軸２２を中心に回動可能なサイド部品３のフラップ２０に保持されており、該フラップ上にはストッパ２１が形成される。ピストンロッド１５の一端およびハウジング１４の相対する側で支持されるばね１６の一端がストッパ２１に当接する。したがって、ハウジング１４には、スライド１２へと向かう一方向に予め張力が付与される。
【００１９】
図１は開放位置にある家具ヒンジ１を示しており、この開放位置では、ヒンジ部品４に接続される家具ドアなどの構成部品が開放される。
【００２０】
図２では、ヒンジ部品４が閉位置へ向かう方向に回動された。この場合、図示の位置と閉位置との間の角度αは約４５°である。ヒンジ部品４の回動動作時には、支持レバー５およびガイドレバー６も回動された。この場合、支持レバー５の突出部１１がスライド１２に押し付き、それにより、ピストンロッド１５がダンパのハウジング１６内へ押し込まれる。
【００２１】
図３はヒンジ部品４の閉位置を示している。ヒンジ部品４にはばねによって閉位置へと予め張力が付与されており、このばねの力はばね１６の力よりも大きい。
【００２２】
ヒンジ部品４が開放される場合、ダンパのハウジング１４は、ばね１６の力によって移動して、ピン１７が長穴１８の端部に達するまでスライド１２を押圧する。
【００２３】
図４は、フラップ２０が開放位置で示される家具ヒンジ１の取り付け位置を示している。このようにして、ハウジング１４、ピストンロッド１５、および、ばね１６を有するダンパをサイド部品３に対して容易に固定することができる。フラップ２０は、軸２２を中心に回動可能にサイド部品３に保持される。
【００２４】
サイド部品３は、適切な調整手段を介して取り付けプレート２に対して移動可能に保持させることができる。ダンピング経路の長さは、ヒンジ部品４の閉位置の直前でのみダンピングが起こるように選択される長穴１８によって制限される。
【００２５】
フラップ２０が開放されると、軸１３を介してサイド部品３に固定されるスライド１２を特に簡単な方法で取り付けることができる。
【図１】
2010501757.tif 000003
【図２】
2010501757.tif 000004
【図３】
2010501757.tif 000005
【図４】
2010501757.tif 000006
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
サイド部品（３）が設けられる取り付けプレート（２）と、支持レバー（５）およびガイドレバー（６）を介して前記サイド部品（３）に回動可能に取り付けられるヒンジ部品（４）とを備え、前記サイド部品（５）に対する前記ヒンジ部品（４）の動作を弱めるためにダンパ（１４，１５）が設けられ、前記サイド部品（３）にスライド（１２）が取り付けられ、該スライドが、前記ダンパ（１４，１５）の接触面に当接して、一方の前記ダンパ（１４，１５）と他方の前記支持レバー（１１）、前記ガイドレバー（６）または前記ヒンジ部品（４）との間に結合を生み出す家具ヒンジにおいて、チップ（１９）を有する前記スライド（１２）が前記支持レバー（５）のウェブ（１１）によって移動できることを特徴とする、家具ヒンジ（１）。
【請求項２】
前記スライド（１２）がガイド手段（１７，１８）を介して前記サイド部品（３）に移動可能に保持されることを特徴とする、請求項１に記載の家具ヒンジ。
【請求項３】
前記スライドが、ダンパのピストンロッド（１５）と同じ方向に直線的に移動できることを特徴とする、請求項１または２に記載の家具ヒンジ。
【請求項４】
前記スライド（１２）が２つのストッパ間で移動可能に保持されることを特徴とする、請求項１〜３のいずれか一項に記載の家具ヒンジ。
【請求項５】
前記スライド（１２）が、前記ダンパのハウジング（１４）に当接する端部（１３）を備えることを特徴とする、請求項１〜４のいずれか一項に記載の家具ヒンジ。
【請求項６】
前記スライド（１２）が、前記ダンパ（１４，１５）が前記ヒンジ部品（４）の閉動作の一部だけにわたって作用するように、好ましくは前記ヒンジ部品（４）の最大回動経路の半分未満にわたって作用するように配置されることを特徴とする、請求項１〜５のいずれか一項に記載の家具ヒンジ。
【請求項７】
前記スライド（１２）が、前記サイド部品（３）のピン（１７）が係合する長穴（１８）を有することを特徴とする、請求項１〜６のいずれか一項に記載の家具ヒンジ。
【請求項８】
前記ダンパ（１４，１５）が、リニアダンパとして設けられ、ばね（２０）によりスライド（１２）へ向けて予め張力が付与されるように保持されることを特徴とする、請求項１〜７のいずれか一項に記載の家具ヒンジ。
【請求項９】
前記サイド部品（３）が、前記ダンパ（１４，１５）が固定される回動フラップ（２０）を備えることを特徴とする、請求項１〜８のいずれか一項に記載の家具ヒンジ。
【国際調査報告】
2010501757.tif 000007
2010501757.tif 000008
2010501757.tif 000009
2010501757.tif 000010